(57)【特許請求の範囲】
【請求項１】
塵芥投入口に開閉するゲートを有する塵芥投入箱であって、
基端部が当該塵芥投入箱の側壁に第１連結軸により回転可能に支持された第１リンクアームと、
一端部が前記ゲートの上部に第２連結軸により回転可能に支持されるとともに、他端部が前記第１リンクアームの先端部に第３連結軸により回転可能に連結された第２リンクアームであり、前記第１リンクアームよりも短い第２リンクアームと、
一端部が当該塵芥投入箱の側壁上部に連結されるとともに、他端部が前記第１リンクアームの中途部に連結された付勢部材と、
当該塵芥投入箱の側壁に設けられ、前記ゲートの開閉軌道をガイドするガイドレールと、
前記ゲートの上部に回転可能に支持され、前記ガイドレールに当接して転動するローラと
を有し、
前記ゲートを引き上げる際、前記第１リンクアームの前記第１連結軸まわりの上方回転に合わせて前記第２リンクアームが前記第３連結軸まわりに下方回転することを特徴とする塵芥投入箱。
【請求項２】
前記第２連結軸は、当該塵芥投入箱の側壁に形成されたガイド孔を通じて前記ゲートと前記第２リンクアームとを連結するものである請求項１記載の塵芥投入箱。
【請求項３】
前記第１リンクアームの基端部を基準として前記側壁の前記ガイド孔よりも外側位置にランプカバーの取付部を有する請求項２記載の塵芥投入箱。
【請求項４】
前記ガイドレールは、当該塵芥投入箱の側壁の内側に設けられたものであり、
前記ゲートの上部裏面に設けられたブラケットを有し、
前記第２連結軸は、前記ブラケットに設けられるとともに前記ガイド孔に挿通され、前記ローラを当該塵芥投入箱の側壁の内側で回転可能に支持するものである
請求項２または３に記載の塵芥投入箱。
【請求項５】
前記付勢部材は、前記塵芥投入口の外側からみて前記第１リンクアームと重なる位置に設けられたものである請求項１から４のいずれかに記載の塵芥投入箱。
【請求項６】
当該塵芥投入箱の側壁と前記第１リンクアームとの間に、上下方向に延びるシリンダを有し、
前記シリンダは、シリンダチューブが下側になるように配設されたものであり、
前記第１リンクアームの前記側壁側の側端は、前記ゲートが閉の状態において前記シリンダチューブの上端位置よりも上方に位置するように配設されたものである
請求項１から５のいずれかに記載の塵芥投入箱。
【請求項７】
請求項１から６のいずれかに記載の塵芥投入箱を備えた塵芥収集車。
【発明の詳細な説明】
【技術分野】
【０００１】
本発明は、収集した塵芥を収容するための塵芥収容箱の開口部に連設される塵芥投入箱およびこれを備えた塵芥収集車に関し、より詳しくは塵芥投入箱の塵芥投入口のゲート開閉機構を備えた塵芥投入箱および塵芥収集車に関する。
【背景技術】
【０００２】
塵芥収集車には、収集した塵芥を収容するための塵芥収容箱が搭載されており、その後方開口部には塵芥投入箱が連設されている。塵芥は、塵芥投入箱の後面に設けられた塵芥投入口から投入され、塵芥投入箱に装備された塵芥積込装置により塵芥収容箱へ積み込まれる。塵芥投入口には、塵芥収集車の走行中、塵芥投入箱から塵芥や汚水などが外へ飛散しないように、テールゲートが設けられている。
【０００３】
従来、この塵芥投入口のテールゲートの開閉機構として、例えば特許文献１に記載された構造が知られている。このゲート開閉機構は、いわゆる圧縮式の塵芥収集車に適用されているものであり、テールゲート開閉の操作力を低減するためのアシスト機構を備えている。アシスト機構は、テールゲートの中央寄りに設けられたスライドユニットと、基端側が塵芥投入箱の側壁に連結されると共に先端側が上記スライドユニットに連結されるアームと、側壁とアーム間に設けられる引っ張りコイルばねとを備えている。
【０００４】
ところが、上記特許文献１のゲート開閉機構は、多数の部品があってコストが高いという問題がある。また、テールゲート開閉のための操作力の低減も限定的である。そこで、従来、特許文献１のゲート開閉機構よりもテールゲート開閉の操作力を低減するものとして、特許文献２に記載された構造が知られている。特許文献２のゲート開閉機構は、いわゆる回転板式の塵芥収集車に適用されているものである。このゲート開閉機構は、一端側が塵芥投入箱の側壁に回動自在に支持されるとともに、他端側がテールゲートの上端部両側部に回動自在に支持されたゲート開閉アームと、塵芥投入箱の側壁とゲート開閉アームとを連結する引張コイルばねとを備えている。このゲート開閉機構では、ゲート開閉アームの他端側が一端側を中心に円を描くように上方へ回動する。
【０００５】
また、テールゲートは、塵芥投入箱後面の上部カバー内に収納されるようになっている（インナースライド式）。塵芥投入箱の内部空間をできるだけ大きくし、かつ、できるだけ塵芥投入箱の外形をコンパクトにするためには、上部カバーの曲面形状とテールゲートの回動軌跡とをある程度合わせた方が良い。したがって、特許文献２に記載のゲート開閉機構では、上部カバーの形状がゲート開閉アームの回動軌跡の影響を受ける形となっており、塵芥投入箱の上部が丸みのある形状となる。
【先行技術文献】
【特許文献】
【０００６】
【特許文献１】特開２００７−２６９４１２号公報
【特許文献２】特開２００８−２８５３１７号公報
【発明の概要】
【発明が解決しようとする課題】
【０００７】
上記特許文献２に記載のゲート開閉機構では、自由に上部カバーの形状を決定できず、ひいては塵芥投入箱後部の形状を自由に形成できないという問題がある。そのため、圧縮式塵芥収集車について特許文献１のゲート開閉機構を単純に特許文献２の機構に置き換えようとしても、塵芥投入箱の構造が圧縮式と回転板式では大きく異なっていて困難である。
【０００８】
また、特許文献２に記載のゲート開閉機構では、塵芥投入箱の側壁から離れる方向へ順にゲート開閉アームと引張コイルばね並んで配置されている。このような構造では、塵芥投入箱に装備されている塵芥積込装置が回転板式の場合には問題ないが、側壁に上下方向の摺動シリンダが配置されている圧縮式の場合、採用するにはスペース的に厳しいものがある。
【０００９】
そこで、本発明では、テールゲートが塵芥投入箱後面の上部カバー内に収納されるインナースライド式の塵芥投入箱において、塵芥投入箱後部の形状の自由度を高めることが可能であり、特に圧縮式塵芥収集車に好適なゲート開閉機構を備えた塵芥投入箱およびこれを備えた塵芥収集車を提供することを目的とする。
【課題を解決するための手段】
【００１０】
本発明の塵芥投入箱は、塵芥投入口に開閉するゲートを有する塵芥投入箱であって、基端部が塵芥投入箱の側壁に回転可能に支持された第１リンクアームと、一端部がゲートの上部に回転可能に支持されるとともに、他端部が第１リンクアームの先端部に回転可能に連結された第２リンクアームと、一端部が塵芥投入箱の側壁上部に連結されるとともに、他端部が第１リンクアームの中途部に連結された付勢部材と、塵芥投入箱の側壁に設けられ、ゲートの開閉軌道をガイドするガイドレールと、ゲートの上部に回転可能に支持され、ガイドレールに当接して転動するローラとを有するものである。
【００１１】
本発明の塵芥投入箱では、基端部が塵芥投入箱の側壁に回転可能に支持された第１リンクアームと、一端部がゲートの上部に回転可能に支持された第２リンクアームとの連結部が自在に回転することによって、第１リンクアームの塵芥投入箱の側壁側の支持点と第２リンクアームのゲート側の支持点との距離が無段階に変化する。したがって、ゲートの開閉軌道をガイドするガイドレールの形状の自由度が高く、所望の開閉軌道でゲートの上部を誘導することが可能となる。
【００１２】
ここで、ゲートと第２リンクアームとは、塵芥投入箱の側壁に形成されたガイド孔を通じて連結されたものであることが望ましい。これにより、ゲートと第２リンクアームとの間に側壁を介在させることができるので、この側壁をランプカバー等の取付部に利用することが可能となる。
【００１３】
また、本発明の塵芥投入箱は、ガイドレールが、塵芥投入箱の側壁の内側に設けられたものであり、ゲートの上部裏面に設けられたブラケットと、ブラケットに設けられるとともにガイド孔に挿通され、ローラを塵芥投入箱の側壁の内側で回転可能に支持する連結軸とを有することが望ましい。これにより、塵芥投入箱の側壁の外側からみてローラとゲートとの連結部が露出しないようにできるとともに、側壁よりも外側への突出部分を少なくすることができる。
【００１４】
また、付勢部材は、塵芥投入口の外側からみて第１リンクアームと重なる位置に設けられたものであることが望ましい。これにより、付勢部材が第１リンクアームよりも外側へ突出しなくなるため、側壁よりも外側への突出量を少なくすることができる。
【００１５】
また、本発明の塵芥投入箱は、塵芥投入箱の側壁と第１リンクアームとの間に、上下方向に延びるシリンダを有し、シリンダは、シリンダチューブが下側になるように配設されたものであり、第１リンクアームの側壁側の側端は、ゲートが閉の状態においてシリンダチューブの上端位置よりも上方に位置するように配設されたものであることが望ましい。これにより、シリンダと第１リンクアームとが塵芥投入箱の側方からみて重なった位置に配置されていても、第１リンクアームがシリンダチューブよりも径の小さいシリンダロッドの部分に常に存在するようになるので、第１リンクアームの側壁よりも外側への突出量を少なくすることができる。
【発明の効果】
【００１６】
（１）基端部が塵芥投入箱の側壁に回転可能に支持された第１リンクアームと、一端部がゲートの上部に回転可能に支持されるとともに、他端部が第１リンクアームの先端部に回転可能に連結された第２リンクアームと、一端部が塵芥投入箱の側壁上部に連結されるとともに、他端部が第１リンクアームの中途部に連結された付勢部材と、塵芥投入箱の側壁に設けられ、ゲートの開閉軌道をガイドするガイドレールと、ゲートの上部に回転可能に支持され、ガイドレールに当接して転動するローラとを有することにより、塵芥投入箱の形状を先に所望の形状に決定したとしても、ゲートをその塵芥投入箱後部の形状に合わせて開閉させることができ、塵芥投入箱後部の形状の自由度が高くなる。
【００１７】
（２）ゲートと第２リンクアームとが、塵芥投入箱の側壁に形成されたガイド孔を通じて連結されたものであることにより、側壁をランプカバー等の取付部に利用することが可能となり、塵芥投入箱後部の形状をより自由に形成することが可能となる。
【００１８】
（３）ガイドレールが、塵芥投入箱の側壁の内側に設けられたものであり、ゲートの上部裏面に設けられたブラケットと、ブラケットに設けられるとともにガイド孔に挿通され、ローラを塵芥投入箱の側壁の内側で回転可能に支持する連結軸とを有することにより、塵芥投入箱の側壁の外側からみてローラとゲートとの連結部が露出せず、側壁よりも外側への突出部分が少なくなるため、塵芥投入箱後部の形状をさらに自由に形成することが可能となる。
【００１９】
（４）付勢部材が、塵芥投入口の外側からみて第１リンクアームと重なる位置に設けられたものであることにより、付勢部材が第１リンクアーよりも外側へ突出しなくなるため、側壁よりも外側への突出量を少なくすることができ、塵芥投入箱後部の形状をさらに自由に形成することが可能となる。
【００２０】
（５）塵芥投入箱の側壁と第１リンクアームとの間に、上下方向に延びるシリンダを有し、シリンダは、シリンダチューブが下側になるように配設されたものであり、第１リンクアームの側壁側の側端は、ゲートが閉の状態においてシリンダチューブの上端位置よりも上方に位置するように配設されたものであることにより、シリンダと第１リンクアームとが塵芥投入箱の側方からみて重なった位置に配置されていても、第１リンクアームの側壁よりも外側への突出量を少なくすることができ、塵芥投入箱後部の形状をさらに自由に形成することが可能となる。
【図面の簡単な説明】
【００２１】
【図１】本発明の実施の形態における塵芥収集車の側面図である。
【図２】図１の塵芥収集車の後部を断面にて示す側面図である。
【図３】図１の塵芥収集車の背面図である。
【図４】テールゲートが閉じられた状態を示す塵芥投入箱の側面図である。
【図５】テールゲートが開かれた状態を示す塵芥投入箱の側面図である。
【図６】図４の背面図である。
【図７】図４のリンク機構およびテールゲートを示す側面図である。
【図８】図４のＡ矢視図である。
【図９】図８のＢ−Ｂ断面図である。
【図１０】図６のＣ−Ｃ断面図である。
【図１１】図４のＤ矢視図である。
【発明を実施するための形態】
【００２２】
図１は本発明の実施の形態における塵芥収集車の側面図、図２は図１の塵芥収集車の後部を断面にて示す側面図、図３は図１の塵芥収集車の背面図である。なお、以下の説明において、前後方向は車体の進行方向と同じ方向を指すものとし、左右方向は車体の前方に向かって左右方向を指すものとする。
【００２３】
図１において、本発明の実施の形態における塵芥収集車１は、車台２上に塵芥収集装置２ａが搭載されたものである。塵芥収集装置２ａは、車台２上に搭載された塵芥収容箱３と、この塵芥収容箱３の後端の後方開口部４に連設された塵芥投入箱５とから構成される。塵芥投入箱５は、後方開口部４の上方で投入箱支持ピン５ａ（図２参照。）により軸支されており、この投入箱支持ピン５ａを中心に傾動自在となっている。
【００２４】
図２および図３に示すように、塵芥投入箱５の後部には、塵芥を投入するための矩形形状の塵芥投入口６が開口されている。また、塵芥投入箱５には、この塵芥投入口６を開閉する開閉扉としてのテールゲート７が設けられている。テールゲート７は上下にスライド可能となっており、塵芥投入口６の上方へ移動することにより、塵芥投入口６を開放することが可能である。なお、本実施形態におけるテールゲート７は、塵芥投入箱５後面の上部カバー８内に収納されるインナースライド式となっている。
【００２５】
また、図２に示すように、塵芥投入箱５の内部には、圧縮式の塵芥積込装置２０が装備されている。塵芥積込装置２０は、塵芥投入箱５内に塵芥投入口６を通じて投入された塵芥Ｄを圧縮して、塵芥収容箱３に積み込むためのものである。
【００２６】
塵芥投入箱５の左右両側壁には、溝形鋼で形成された案内溝部材２１が補強枠を兼ねて前方上部より後方下部に向かって敷設されている。塵芥投入箱５内には、その横幅いっぱいに広がる摺動板２２が収容されている。この摺動板２２の左右両側縁の上下には、案内ローラ２３が回転可能に設けられている。これらの案内ローラ２３は、案内溝部材２１の内壁に沿って転動自在に嵌入されている。
【００２７】
また、摺動板２２の背面上部の左右端部にはボス部２４が設けられている。このボス部２４には、摺動板支持軸２５が挿通されている。この摺動板支持軸２５は、塵芥投入箱５の左右両側壁に形成された摺動用開口５ｂを越えて塵芥投入箱５の内側より外側に突出するように配置されている。
【００２８】
また、塵芥投入箱５の左右両側壁からそれぞれ外側に突出した摺動板支持軸２５と塵芥投入箱５の下部間には、左右それぞれ塵芥投入箱５の外側に案内溝部材２１の傾斜方向に沿って配置された摺動シリンダ２６がそれぞれ連結されている。この摺動シリンダ２６の伸縮動作によって、摺動板２２は案内溝部材２１に沿って上下に往復移動する。
【００２９】
摺動板２２の下端には、塵芥投入箱５の横幅いっぱいに広がる圧縮板２７が前後方向に揺動可能に支持されている。この圧縮板２７の先端は前方に向かって若干屈曲形成されている。また、圧縮板２７の左右両背面には接続部２７ａが突設されている。この左右それぞれの接続部２７ａと、摺動板２２の背面上部に設けられた摺動板支持軸２５の左右両端部との間には、それぞれ揺動シリンダ２８が連結されている。この揺動シリンダ２８の伸縮動作によって、圧縮板２７は前後に揺動する。
【００３０】
塵芥投入箱５内への塵芥投入口６からの塵芥Ｄの投入は、図２に示すように、摺動シリンダ２６および揺動シリンダ２８がいずれも伸長して摺動板２２が上昇終了位置（最上位置）にある状態で行う。塵芥積込装置２０は、積込指示がなされると、図２に示す状態から、揺動シリンダ２８が縮退作動して圧縮板２７が反転作動し、反転終了位置に達する（反転工程）。この後、摺動シリンダ２６が縮退作動して摺動板２２が下降し、これに伴って圧縮板２７が下降する（下降工程）。そして、圧縮板２７が下降終了位置に達すると、揺動シリンダ２８を伸長させて圧縮板２７を前方に揺動させ、圧縮工程に移行する。そして、圧縮板２７が圧縮終了位置まで揺動する（圧縮行程）と、摺動シリンダ２６を伸長させて圧縮板２７を上昇させる（上昇工程）。この圧縮板２７が上昇終了位置に達すると、一連の積込動作を終了する。これにより反転、下降、圧縮、上昇の各工程を１サイクルとして塵芥積込動作を繰り返して行う。
【００３１】
次に、テールゲート７のアシスト機構について説明する。アシスト機構は、作業者が小さな力でもテールゲート７を昇降して塵芥投入口６を開閉することができるように、テールゲート７に対して持ち上げ方向にアシスト力を発生させるための機構である。
【００３２】
図４はテールゲート７が閉じられた状態を示す塵芥投入箱５の側面図、図５はテールゲート７が開かれた状態を示す塵芥投入箱５の側面図、図６は図４の背面図、図７は図４のリンク機構およびテールゲートを示す側面図、図８は図４のＡ矢視図、図９は図８のＢ−Ｂ断面図、図１０は図６のＣ−Ｃ断面図、図１１は図４のＤ矢視図である。なお、図４および図５では、テールゲート７のアシスト機構を説明するため、塵芥投入箱５のサイドカバーを外した状態を示している。
【００３３】
図４および図５に示すように、アシスト機構３０は、第１リンクアーム３１および第２リンクアーム３２から構成されるリンク機構３３と、テールゲート７の持ち上げ方向に付勢力を発生させる付勢部材としての引張コイルばね３４等により構成されている。
【００３４】
第１リンクアーム３１は、基端部が塵芥投入箱５の側壁５ｃに連結軸３１ａにより回転可能に支持されている。第１リンクアーム３１は、図６に示すように、塵芥投入箱５を背面より見た場合に側壁５ｃから一定距離を保つように延びている。なお、前述のように、本実施形態における塵芥投入箱５は、上下方向に延びる摺動シリンダ２６を備えており、この摺動シリンダ２６は、塵芥投入箱５の側壁５ｃと第１リンクアーム３１との間に、シリンダチューブ２６ａが下側になるように配設されている。第１リンクアーム３１の側壁５ｃ側の側端は、図４および図６に示すように、テールゲート７が閉の状態においてシリンダチューブ２６ａの上端位置よりも上方、すなわち、シリンダチューブ２６ａよりも径の小さいシリンダロッド２６ｂの部分に常に位置するように配設されている。
【００３５】
第２リンクアーム３２は、一端部がテールゲート７の上部に連結軸３５によって回転可能に支持されるとともに、他端部が第１リンクアーム３１の先端部に連結軸３２ａによって回転可能に連結されている。第２リンクアーム３２は、塵芥投入箱５を背面より見た場合、連結軸３２ａから連結軸３５に向かうにつれて側壁５ｃに近づくように延びている。引張コイルばね３４は、一端部が塵芥投入箱５の側壁５ｃ上部に設けられたブラケット３６に連結されるともに、他端部が第１リンクアーム３１の中途部に連結されている。なお、引張コイルばね３４は、テールゲート７の全開時においても、張力を発生するように設置されており、テールゲート７がどの位置にあっても常にテールゲート７に引き上げ力が働くように、自然長、撓み量や配置などが定められている。
【００３６】
また、塵芥投入箱５の側壁５ｃの内側には、テールゲート７の開閉軌道をガイドする上部ガイドレール３７ａおよび下部ガイドレール３７ｂが設けられている。また、側壁５ｃには、この上部ガイドレール３７ａに沿ってガイド孔３８が形成されている。上部ガイドレール３７ａおよびガイド孔３８は、変曲点のない一つの曲線状となっている。前述の連結軸３５は、テールゲート７の上部裏面に設けられたブラケット３９に設けられており、このガイド孔３８を通じて第２リンクアーム３２を回転可能に支持している。また、この連結軸３５は、上部ガイドレール３７ａに当接して転動する上部ローラ４０ａを側壁５ｃの内側で回転可能に支持している。
【００３７】
上記上部ガイドレール３７ａがテールゲート７の上部の開閉軌道をガイドするのに対し、下部ガイドレール３７ｂはテールゲート７の下部の開閉軌道をガイドするものである。図１０に示すように、下部ガイドレール３７ｂは、塵芥投入口６の開口面に沿って形成されている。一方、テールゲート７の下部には、下部ガイドレール３７ｂに当接して転動する下部ローラ４０ｂが回転可能に設けられている。また、この下部ローラ４０ｂには、テールゲート７の把手７ａのレバー（図示せず。）により進退するロックピン７ｂが設けられている。ロックピン７ｂは、下部ローラ４０ｂに沿って側壁５ｃに設けられたロック孔４１ａ，４１ｂ，４１ｃと係合することにより、テールゲート７の開閉をロックするものである。
【００３８】
上記構成のアシスト機構により、作業者は、テールゲート７を閉状態から開状態にする場合、把手７ａのレバーを握り、ロック孔４１ａからロックピン７ｂを退出させてテールゲート７と上部ガイドレール３７ａとのロックを解除し、把手７ａとともにテールゲート７を上方へ引き上げる。このとき、リンク機構３３の第１リンクアーム３１に連結された引張コイルばね３４の付勢力が、テールゲート７を引き上げるアシスト力として作用する。その結果、作業者に要求されるテールゲート７を引き上げる力が軽減される。
【００３９】
一方、テールゲート７を開状態から閉状態にする場合、作業者は把手７ａのレバーを握り、ロック孔４１ｂまたはロック孔４１ｃからロックピン７ｂを退出させてテールゲート７と上部ガイドレール３７ａとのロックを解除し、把手７ａとともにテールゲート７を下方へ引き下げる。このとき、リンク機構３３の第１リンクアーム３１に連結された引張コイルばね３４の付勢力が、テールゲート７が急落下しないように支持するアシスト力として作用する。その結果、作業者に要求されるテールゲート７を支持する力が軽減される。
【００４０】
ここで、本実施形態におけるアシスト機構では、第１リンクアーム３１と第２リンクアーム３２との連結部である連結軸３２ａが自在に回転することによって、第１リンクアーム３１の塵芥投入箱５の側壁５ｃ側の支持点である連結軸３１ａと第２リンクアーム３２のテールゲート７側の支持点である連結軸３５との距離が無段階に変化する。そのため、このアシスト機構では、テールゲート７の開閉軌道をガイドする上部ガイドレール３７ａの形状の自由度が高く、所望の開閉軌道でテールゲート７の上部を誘導することが可能である。したがって、塵芥投入箱５の形状を先に所望の形状に決定したとしても、テールゲート７をその塵芥投入箱５の後部の形状に合わせて開閉させることができ、塵芥投入箱５の後部の形状の自由度が高くなる。
【００４１】
また、本実施形態におけるアシスト機構では、テールゲート７と第２リンクアーム３２とが、塵芥投入箱５の側壁５ｃに形成されたガイド孔３８を通じて連結されたものであり、テールゲート７と第２リンクアーム３２との間に側壁５ｃが介在している。そのため、この側壁５ｃを図４に示すランプカバー４２等の取付部４２ａや増設ランプの取付部等に利用することが可能であり、塵芥投入箱５の後部の形状をより自由に形成することが可能となっている。
【００４２】
また、本実施形態におけるアシスト機構では、上部ガイドレール３７ａが、塵芥投入箱５の側壁５ｃの内側に設けられ、テールゲート７の上部裏面に設けられたブラケット３９と、ブラケット３９に設けられるとともにガイド孔３８に挿通され、上部ローラ４０ａを塵芥投入箱５の側壁５ｃの内側で回転可能に支持する連結軸３５とを有する構成により、塵芥投入箱５の側壁５ｃの外側からみて上部ローラ４０ａとテールゲート７との連結部が露出していない。そのため、側壁５ｃよりも外側への突出部分が少なくなっており、塵芥投入箱５後部の形状をさらに自由に形成することが可能となっている。
【００４３】
また、本実施形態におけるアシスト機構では、引張コイルばね３４は、図６に示すように、塵芥投入口６の外側からみて第１リンクアーム３１と重なる位置に設けられている。そのため、引張コイルばね３４が、第１リンクアーム３１よりも外側へ突出しないため、側壁５ｃよりも外側への突出量を少なくすることができており、塵芥投入箱５後部の形状をさらに自由に形成することが可能となっている。
【００４４】
また、本実施形態における塵芥投入箱５は、塵芥投入箱５の側壁５ｃと第１リンクアーム３１との間に、上下方向に延びる摺動シリンダ２６を有するが、前述のように、この摺動シリンダ２６は、シリンダチューブ２６ａが下側になるように配設され、第１リンクアーム３１の側壁５ｃ側の側端は、テールゲート７が閉の状態においてシリンダチューブ２６ａの上端位置よりも上方に位置するように配設されている。そのため、図４に示すように、摺動シリンダ２６と第１リンクアーム３１とが塵芥投入箱５の側方からみて重なった位置に配置されていても、第１リンクアーム３１がシリンダチューブ２６ａよりも径の小さいシリンダロッド２６ｂの部分に常に存在しており、第１リンクアーム３１の側壁５ｃよりも外側への突出量を少なくすることができており、塵芥投入箱５後部の形状をさらに自由に形成することが可能となっている。
【００４５】
（その他の実施の形態）
上記実施形態では、塵芥投入箱５を背面より見た場合、第１リンクアーム３１が側壁５ｃから一定距離を保つように延びる一方、第２リンクアーム３２が連結軸３２ａから連結軸３５に向かうにつれて側壁５ｃに近づくように延びるように形成されていたが、本発明はこれに限らず、第２リンクアームを、塵芥投入箱の側壁から常に一定距離を保って延びるように形成してもよい。
【００４６】
また、上記実施形態では、第２リンクアーム３２とテールゲート７との連結軸３５は、上部ローラ４０ａを側壁５ｃの内側で回転可能に支持していたが、本発明はこれに限らず、第２リンクアームとテールゲートとの連結軸が上部ローラを塵芥投入箱の側壁の外側で支持するようにしてもよい。
【産業上の利用可能性】
【００４７】
本発明は、テールゲートが塵芥投入箱後面の上部カバー内に収納されるインナースライド式の塵芥投入箱およびこれを備えた塵芥収集車として有用であり、特に、側壁に摺動シリンダが配置されている圧縮式の塵芥積込装置が装備された塵芥投入箱および塵芥収集車に好適である。
【符号の説明】
【００４８】
１  塵芥収集車
２  車台
２ａ  塵芥収集装置
３  塵芥収容箱
４  後方開口部
５  塵芥投入箱
５ａ  投入箱支持ピン
５ｂ  摺動用開口
５ｃ  側壁
６  塵芥投入口
７  テールゲート
７ａ  把手
７ｂ  ロックピン
８  上部カバー
２０  塵芥積込装置
２１  案内溝部材
２２  摺動板
２３  案内ローラ
２４  ボス部
２５  摺動板支持軸
２６  摺動シリンダ
２６ａ  シリンダチューブ
２６ｂ  シリンダロッド
２７  圧縮板
２８  揺動シリンダ
３０  アシスト機構
３１  第１リンクアーム
３１ａ  連結軸
３２  第２リンクアーム
３２ａ  連結軸
３３  リンク機構
３４  引張コイルばね
３５  連結軸
３６  ブラケット
３７ａ  上部ガイドレール
３７ｂ  下部ガイドレール
３８  ガイド孔
３９  ブラケット
４０ａ  上部ローラ
４０ｂ  下部ローラ
４１ａ，４１ｂ，４１ｃ  ロック孔
４２  ランプカバー
４２ａ  取付部
【図１】
0005893433.tif 000002
【図２】
0005893433.tif 000003
【図３】
0005893433.tif 000004
【図４】
0005893433.tif 000005
【図５】
0005893433.tif 000006
【図６】
0005893433.tif 000007
【図７】
0005893433.tif 000008
【図８】
0005893433.tif 000009
【図９】
0005893433.tif 000010
【図１０】
0005893433.tif 000011
【図１１】
0005893433.tif 000012